(57)【特許請求の範囲】
【請求項１】
測定領域としての頭部の画像撮影のためのＭＲＴシステム（１８）の磁場ユニット（１）であって、前記磁場ユニット（１）は、主磁場の生成のための少なくとも１つの永久磁石（２）、複数のコイルから構成される勾配磁場の生成のための装置（３）、および高周波の生成および受信のための少なくとも１つのコイル（４）を備え、前記磁場ユニット（１）は保持部（１９）に固定され、これにより垂直方向に延びる軸を有する前記磁場ユニット（１）の長軸（Ａ）が、患者（Ｐ）の垂直軸（Ｂ）に対して最大±４５°の角度（α）だけ傾斜可能であり、前記患者（Ｐ）が座っているかまたは立っているときには、前記磁場ユニット（１）の長軸（Ａ）は前記垂直軸（Ｂ）に対して最大４５°の角度（α）だけ傾斜可能であり、前記磁場ユニット（１）および前記患者（Ｐ）が相対的に互いに位置し、これにより前記磁場ユニット（１）が前記患者（Ｐ）の頭部の周囲を移動し、前記磁場ユニット（１）が閉鎖した形状にある複数の永久磁石（２）を有し、前記勾配磁場の生成のための装置（３）のコイルおよび前記高周波の生成および受信のための少なくとも１つのコイル（４）が、互いに軸方向に離間している複数の永久磁石（２）の間の空間に配置されていることを特徴とする、磁場ユニット（１）。
【請求項２】
測定領域としての頭部の画像撮影のためのＭＲＴシステム（１８）の磁場ユニット（１）であって、前記磁場ユニット（１）は、主磁場の生成のための少なくとも１つの永久磁石（２）、勾配磁場の生成のための装置（３）、および高周波の生成および受信のための少なくとも１つのコイル（４）を備え、前記磁場ユニット（１）が、台架（５）として構成された保持部（１９）に垂直方向に、誘導部（６）によって移動可能に設置され、垂直方向に延びる軸を有する前記磁場ユニット（１）の長軸（Ａ）が、患者（Ｐ）の垂直軸（Ｂ）に対して最大±４５°の角度（α）だけ傾斜可能であり、前記患者（Ｐ）が座っているかまたは立っているときには、前記磁場ユニット（１）の長軸（Ａ）は前記垂直軸（Ｂ）に対して最大４５°の角度（α）だけ傾斜可能であり、前記磁場ユニット（１）および前記患者（Ｐ）が相対的に互いに位置し、これにより前記磁場ユニット（１）が上から前記患者（Ｐ）の頭部の周囲を移動し、誘導部（８）が垂直方向に移動可能に前記台架（５）に固定され、咬合阻止器（９）および固定装置（２０）が、つかみ部（７）に、ひいては水平方向に移動可能な誘導部を越えて配置されていることを特徴とする、磁場ユニット（１）。
【請求項３】
前記磁場ユニット（１）により少なくとも部分的に限定された容積が、基準の頭部（２２）の直径の最大２倍に等しい直径を有することを特徴とする、請求項１または２に記載の磁場ユニット（１）。
【請求項４】
生成された主磁場の均質の領域は、少なくとも前記磁場ユニット（１）に位置決めされた基準の頭部（２２）の下１５ｃｍをカバーするほど大きいことを特徴とする、請求項１乃至３のいずれか１項に記載の磁場ユニット（１）。
【請求項５】
前記永久磁石（２）がその長軸（Ａ）に対して垂直な断面において閉鎖した形状を有し、前記永久磁石（２）に含まれる容積内に主磁場の３次元の均質の領域（Ｈ）が構成されることを特徴とする、請求項１乃至４のいずれか１項に記載の磁場ユニット（１）。
【請求項６】
前記永久磁石（２）の断面における閉鎖した形状の長さが、前記断面における閉鎖した形状の幅よりも大きいことを特徴とする、請求項５に記載の磁場ユニット（１）。
【請求項７】
前記患者（Ｐ）の垂直軸（Ｂ）が前記主磁場の均質の領域（Ｈ）の長軸（Ａ）に対して垂直な断面の平面中心点（Ｆ１）から離間するように、前記閉鎖した形状が前記患者（Ｐ）の周囲に配置されることを特徴とする、請求項５または６に記載の磁場ユニット（１）。
【請求項８】
前記長軸（Ａ）に対して垂直な前記主磁場の均質の領域（Ｈ）の断面の平面中心点（Ｆ１）が、前記永久磁石（２）に含まれる容積の長軸（Ａ）に対して垂直な断面の平面中心点（Ｆ２）と一致することを特徴とする、請求項５乃至７のいずれか１項に記載の磁場ユニット（１）。
【請求項９】
前記患者（Ｐ）の垂直軸（Ｂ）が、前記永久磁石（２）に含まれる容積の長軸（Ａ）に対して垂直な断面の平面中心点（Ｆ２）から離間するように、前記閉鎖した形状が前記患者（Ｐ）の周囲に配置されることを特徴とする、請求項５乃至８のいずれか１項に記載の磁場ユニット（１）。
【請求項１０】
前記長軸（Ａ）に対して垂直な前記主磁場の均質の領域（Ｈ）の断面の平面中心点（Ｆ１）が、前記永久磁石（２）に含まれる容積の長軸（Ａ）に対して垂直な断面の平面中心点（Ｆ２）から離間することを特徴とする、請求項５乃至７のいずれか１項に記載の磁場ユニット（１）。
【請求項１１】
前記患者（Ｐ）の垂直軸（Ｂ）が、前記永久磁石（２）に含まれる容積の長軸（Ａ）に対して垂直な断面の平面中心点（Ｆ２）の位置と一致するか、または前記患者（Ｐ）の垂直軸（Ｂ）に対して離間している測定領域が前記主磁場の均質の領域（Ｈ）の位置と一致するほど近くに位置するように、前記閉鎖した形状が前記患者（Ｐ）の周囲に配置されることを特徴とする、請求項１０に記載の磁場ユニット（１）。
【請求項１２】
前記磁場ユニット（１）が、接合部（１４）により前記保持部（１９）に対して水平軸を中心に傾斜可能であることを特徴とする、請求項１乃至１１のいずれか１項に記載の磁場ユニット（１）。
【請求項１３】
前記磁場ユニット（１）が、前記測定領域の周囲に配置され、かつくびき部（１５）によって相互接続された、前記主磁場の生成のための少なくとも２つの永久磁石（２’）を備えることを特徴とする、請求項２乃至４のいずれか１項に記載の磁場ユニット（１）。
【請求項１４】
前記磁場ユニット（１）が、前記患者（Ｐ）の頭部の固定装置（２０）および／または咬合阻止器（９）を備えることを特徴とする、請求項１乃至１３のいずれか１項に記載の磁場ユニット（１）。
【請求項１５】
前記勾配磁場の生成のための装置（３）および／または前記高周波の生成および受信のための少なくとも１つのコイル（４）が、前記固定装置（２０）に設置されていることを特徴とする、請求項１４に記載の磁場ユニット（１）。
【請求項１６】
前記少なくとも１つのコイル（４）が、前記患者（Ｐ）の口に入れられることを特徴とする、請求項１乃至１５のいずれか１項に記載の磁場ユニット（１）。
【請求項１７】
前記磁場ユニット（１）が移動可能な遮蔽装置を有し、前記遮蔽装置が、前記磁場ユニット（１）および前記磁場ユニット（１）に位置決めされた患者（Ｐ）の周囲を移動し、これにより、前記高周波が外部から前記遮蔽装置の領域内に進入することを防ぐことを特徴とする、請求項１乃至１６のいずれか１項に記載の磁場ユニット（１）。
【請求項１８】
前記磁場ユニット（１）が、前記主磁場の障害の調整のための調整コイルシステム（２６）を有することを特徴とする、請求項１乃至１７のいずれか１項に記載の磁場ユニット（１）。
【請求項１９】
前記磁場ユニット（１）が、前記台架（５）に垂直方向に移動可能に設置されることを特徴とする、請求項１乃至１８のいずれか１項に記載の磁場ユニット（１）。
【発明の詳細な説明】
【技術分野】
【０００１】
本発明は、撮影領域としての頭の一部の画像撮影のためのＭＲＴシステムの磁場ユニットに関し、磁場ユニットは、少なくとも１つの永久磁石、勾配磁場生成のための装置、勾配磁場生成のための装置および少なくとも１つの高周波の生成および受信のためのコイルを有する。
【背景技術】
【０００２】
歯科医療分野では磁気共鳴イメージングはこれまで非常に限定的に使用されてきた。この原因は特に、設置と運営における高コストおよび、歯科臨床で重要な画像情報が限定されていることである。
【０００３】
これに対して広く普及しているのはレントゲン撮影であり、例えば欧州公開特許公報第０６３２９９４Ａ１号により公知の装置で撮影することができる。ここでは頭部分、例えば顎部のレントゲン画像背性のためのレントゲン診断装置が公開されており、線分検出カメラおよび直径方向に対向して配置された照射源が、対象物の周りを同時に移動可能である。
【０００４】
画像生成のための磁気共鳴イメージングの使用においては、従来のレントゲン撮影に対して患者がレントゲン照射による照射負荷を受けなくてもよいという利点がある。欧州公開特許公報第１８７６４６２Ａ１号より、例えば試験的な電子スピン共鳴実験のための磁石システムが公知であり、これは試験室の周囲に配置され、試験室内に可変の磁界強度を有する磁場が生成される。
【０００５】
２００８年出版のConcepts in Magnetic Resonance Part B,
Magnetic Resonance Engineeringの３３Ｂ（４）巻、２４４‐２５１頁で発表されたP. M. Jakobによる記事「In Vivo MRI-Based Dental Impression
Using an Intraoral Rf Receiver Coil」では高周波のためのＭＲＴシステムの受信コイルが公知であり、これは患者の口内へ入れることができ、従来のＭＲＴ機器内で使用できる。これにより受信コイルは測定対象物、すなわち顎部および／または歯の可能な限り近くに位置決め可能であり、この際従来のＭＲＴ機器の顎領域の画質を改善することができる。
【発明の概要】
【発明が解決しようとする課題】
【０００６】
本発明の課題はシステム構成に適応した安価な、特に歯科医療分野において意義のある磁気共鳴イメージングの使用を可能にする、ＭＲＴシステムの磁場ユニットをもたらすことである。
【課題を解決するための手段】
【０００７】
本発明による測定領域としての頭部の画像撮影のためのＭＲＴシステムの磁場ユニットは、主磁場の生成のための少なくとも１つの永久磁石、勾配磁場生成のための装置、および高周波の生成および受信のための少なくとも１つのコイルを有し、保持部に固定され、これにより垂直方向に延びる軸を有する磁場ユニットの長軸が最大±４５°の角度を有し、磁場ユニットおよび患者が相対的に互いに位置することができるため、磁場ユニットが患者の頭部の周囲を移動することができる。
【０００８】
本発明によるＭＲＴシステムの磁場ユニットの利点は、患者が座ってまたは起立した状態で測定可能であり、横にならなくてもよいことである。これにより、患者を測定の間、どの診療歯科医にも存在する歯科医の椅子に座らせることができるという利点さえも生じる。
【０００９】
磁場ユニットから少なくとも部分的に限定された容積が、基準の頭部の直径の最大２倍に相応する直径を有すると有利である。これにより患者の頭部が磁場ユニット内にしっかり位置決めされ、これが可能な限り小型に構成されることが確保される。この小型の構成により、必要な磁性の材料が可能な限り少量となり、これによりコストが抑えられ可能な限り重さが軽くなり、特に扱いやすくなる。
【００１０】
生成された主磁場の均質の領域が、少なくとも磁場ユニットに位置決めされた基準の頭部の下１５ｃｍをカバーする大きさであると有利である。これにより患者の顎領域のＭＲＴ撮影の実行が確保される。
【００１１】
永久磁石は長軸に対して垂直な断面において閉鎖した形を有すると有利であり、この際永久磁石に含まれる容積内に  主磁場の３次元の均質の領域が構成される。
【００１２】
このようにして、例えば永久磁石のためにハルバッハ配列を選択できる。これにより少ない磁性の材料と、これに応じた軽い装置によって主磁場を生成可能となる。閉鎖した配置により、さらに、主磁場の漂遊磁界が小さくなる。
【００１３】
閉鎖した形状において幅よりも長さがあると有利である。こうして同様に矩形の形状を有する均質の領域が生成され、これにより、この領域が患者の顎領域と重複することができ、久磁石の全寸法、およびこれに伴い使用された磁性の材料の量も可能な限り少なく抑えることができる。これによりコストおよびスペースを省略できるだけでなく、磁場ユニットの移動も重さが軽くなったことにより容易になる。
【００１４】
閉鎖した形状は、患者の垂直軸すなわちフランクフルト水平面の平面中心点を通る軸が、主磁場の均質の領域の長軸に対して垂直な断面の平面中心点から距離を置いているように、患者の周囲に配置されると有利である。
【００１５】
測定領域、すなわち患者の顎領域は患者の垂直軸と距離を置いているため、磁場の均質の領域と顎領域との重複が可能な限り大きくなる。
【００１６】
長軸に対して垂直な主磁場の均質の領域の断面の平面中心点が永久磁石に含まれる容積の長軸に対して垂直な断面の平面中心点と一致すると有利である。これにより、例えばこの含まれる平面の平面中心点と点対象である壁の厚さを有する楕円体のような、非常に簡単な永久磁石のための幾何学的形状を選択できる。こうしてここでも必要となる磁性の材料が少なくなり、これにより装置のコストが安くなり、より軽い重さで製造可能となる。
【００１７】
閉鎖した形状は、患者の垂直軸が、永久磁石に含まれる容積の長軸に対して垂直な断面の平面中心点から距離を置くように患者の周囲に配置されると有利である。
【００１８】
これによりこの含まれる容積の断面の平面中心点の周囲に配置された磁場の均質の領域のために、測定する患者の顎領域との重複が可能な限り大きくなることができる。
【００１９】
主磁場の均質の領域の長軸に対して垂直な断面の平面中心点が永久磁石に含まれる容積の長軸に対して垂直な断面の平面中心点から距離を置いていると有利である。
【００２０】
これにより、患者を永久磁石内で中心に位置決めすることができ、それにもかかわらず均質の領域と測定する患者顎領域との広域な重複を確保することができる。
【００２１】
閉鎖した形状は、患者の垂直軸が、永久磁石に含まれる容積の長軸に対して垂直な断面の平面中心点の位置と一致するか、または患者の垂直軸に対して距離を置いた測定領域が主磁場の均質の領域の位置と一致するよう近くに位置するように、患者の周囲に配置されると有利である。
【００２２】
患者を中心に位置決めすることで永久磁石の寸法を可能な限り小さくすることができ、これにより重さをより軽くすることができる。
【００２３】
全体として、測定領域が可能な限り完全に主磁場の均質の領域において位置決め可能であることが重要である。これにより、患者の主磁場の均質の領域への相対的な位置決めの必要性が生じ、磁場ユニット内の主磁場の位置決めに応じて患者の磁場ユニットに対する相対的位置の必要性も生じる。
【００２４】
患者の顎領域を測定する場合、患者の垂直軸から距離を置いた患者の頭部の領域を測定することになる。患者を顎領域が可能な限り完全に主磁場の均質の領域にあるように位置決めする場合、患者の垂直軸はいかなる場合も、磁場ユニットの長軸に対して垂直な平面の平面中心点から距離を置いている。主磁場の均質の領域が磁場ユニットの中心またはむしろ端に位置決めされているかに応じて、患者は磁場ユニットの中央に移動される必要があり、つまり患者の垂直軸は磁場ユニットの長軸から距離を置くか、または場ユニットの正確に中心に位置決めされる必要がある。
【００２５】
磁場ユニットは接合部により保持部に対して水平軸を中心に傾斜可能であると有利である。
【００２６】
これにより、患者の測定する顎領域を、より永久磁石の磁場の均質の領域と重複させることができる。
【００２７】
測定領域の周囲に配置されている、くびき部によって接続された主磁場の生成のための少なくとも２つの永久磁石を備えると有利である。
【００２８】
この一方の側が開放された構造により患者の位置決めが容易になり、患者は場合によっては撮影の間でさえも開いた視界を得る。さらに、より大きな磁場均質の領域と、これに伴うより大きな測定領域が生じ得る。
【００２９】
磁場ユニットは患者の頭部の固定のための装置および／または咬合阻止器を備えると有利である。このような装置は例えば額の支えおよび／または耳覆いを有してもよく、測定中に患者の測定領域が動くことを防止する。咬合阻止器もまたこれに相応する動きを防止し、または少なくとも制限することができる。
【００３０】
勾配磁場生成のための装置および／または高周波の生成および／または受信のためのコイルは固定のための装置に設置されていると有利である。
【００３１】
勾配磁場生成のための装置の固定のための装置への設置により、勾配磁場生成のための装置が測定中に測定する領域に固定して接続されるという、すなわち測定する領域と同時に動くというという利点が生じ、これにより空間分解能の正確性が高まる。高周波の受信のためのコイルを固定のための装置に備えることで、コイルは測定の間測定対象物の非常に近くに位置し、これにより測定信号の信号対雑音比が上昇する。高周波の受信のためのコイルが送信のためにも使用される場合、追加の高周波の送信のためコイルが不要となる。
【００３２】
患者の口に入れることができる少なくとも１つの高周波の受信のためのコイルを備えると有利である。
【００３３】
これにより高周波の受信のためのコイルが可能な限り測定対象物、すなわち患者の顎領域の近くに位置し、これにより測定信号の質が高まる。
【００３４】
磁場ユニットは移動可能な遮蔽装置を有すると有利であり、これは高周波を外部から遮蔽装置内の領域内に進入できないように、磁場ユニットおよび磁場ユニットに位置決めされた患者の周囲を移動可能である。
【００３５】
磁場ユニットは、主磁場の障害の調整のための調整コイルシステムを有すると有利である。
【００３６】
これにより、例えば患者によっても引き起こされ得る主磁場の障害も調整することができる。例えば、例えばコスト上または構造上の事情による、装置により生成された主磁場の均質性の制限を容認し、調整コイルシステムにより埋め合わせることも可能である。
【００３７】
磁場ユニットが台架に垂直方向に移動可能に設置されると有利である。
【００３８】
これにより、永久磁石が磁場ユニットの下部に座っているかまたは起立している患者の周囲を移動可能である。さらに、磁場ユニットの位置が垂直方向に患者の大きさに合わせて適応可能である。
【００３９】
本発明の複数の実施例を以下の通り図に示す。
【図面の簡単な説明】
【００４０】
【図１】本発明の磁場ユニット。
【図２】図２Ａおよび図２Ｂは図１の磁場ユニットの断面図。
【図３】図１の磁場ユニット内での患者の固定のための装置。
【図４】図１の磁場ユニット内での永久磁石。
【図５】接合部を備えた図１の磁場ユニット。
【図６】図６Ａおよび図６Ｂは本発明による磁場ユニットの発展形。
【発明を実施するための形態】
【００４１】
図１では側面図として、発明による磁場ユニット１および制御ユニット１７を有するＭＲＴシステム１８を示す。磁場ユニット１は主磁場の生成のための閉鎖した形状の複数の永久磁石２、および複数のコイルから構成される勾配磁場の生成のための装置３、および高周波４の生成および受信のためのコイルを有する。勾配磁場の生成のための装置３、および高周波４の生成および受信のためのコイル配置例は図２Ａに示され、ここでは本発明の磁場ユニット１の一部分を示す。勾配磁場の生成のための装置３のコイル、および高周波の生成および受信のための少なくとも１つのコイル４がここで、複数の永久磁石２の間に配置されている。ただし、勾配磁場生成のための装置３および高周波４の生成および受信のための少なくとも１つのコイルはシリンダーに配置されているか、またはそれぞれシリンダー状の層に一体化され、永久磁石２の内側方向へ示す側に配置されていてもよい。このような閉鎖した形状の複数の永久磁石２内でのコイルの配置を図２Ｂで示す。
【００４２】
磁場の障害の調整のために、図２Ｂに示すようにさらに調整コイルシステム１６が備えられ、これは例えば永久磁石内部でシリンダーに配置されたコイルから構成されてもよく、または図２Ａに示すように複数の永久磁石２の間の空間に配置されてもよい。周囲からの障害を防ぐために図２Ａに示すような遮蔽装置２１を備えてもよく、これは磁場ユニット１も位置決めされた患者も完全に内部空間に含み、内部空間を周囲からの電磁波から遮蔽する。
【００４３】
磁場ユニット１は台架５として構成された保持部１９に垂直方向に、誘導部６によって移動可能に設置されている。台架５は図１に示すように床に固定されていてもよく、または図２に示すようにキャスターを備えてもよく、これにより磁場ユニット１が容易に移動可能となる。他の可能性としては、磁場ユニット１が例えば誘導レールによって垂直方向に移動可能に壁の保持部１９に固定することもできる。
【００４４】
磁場ユニット１の垂直方向への移動可能性により、磁場ユニット１を上から患者Ｐの頭部の周囲を移動させる前に、患者Ｐが台架５の前に座ってまたは起立した状態で位置決めされることができる。さらに、磁場ユニット１の位置を垂直方向に患者Ｐの大きさに適応させることができる。この際磁場ユニット１の長軸Ａが垂直方向に設定され、また患者Ｐの垂直軸Ｂも設定され、この際、患者Ｐの垂直軸Ｂによりフランクフルト水平面に対して垂直に、およびこの平面中心点を通る軸が示される。患者Ｐの位置決めのために椅子が備えられていてもよい。さらに患者Ｐが撮影の間手で握るためのつかみ部７を備えてもよい。これらは例えば誘導部８により垂直方向に垂直方向に移動可能に台架５に固定されていてもよく、これによりつかみ部の位置が垂直方向に患者Ｐの大きさに調整可能となる。
【００４５】
さらに位置決めのために咬合阻止器９を備えてもよい。これは例えば同様に誘導部８に固定されてもよく、これにより咬合阻止器の位置を垂直方向に患者Ｐに適応させることができる。水平方向の誘導部１０も備えられてもよく、これにより患者Ｐと台架５との距離が調整可能であり、また患者Ｐの垂直軸Ｂの位置も磁場ユニット１の長軸Ａの位置と相対的に調整可能である。
【００４６】
患者Ｐの固定装置２０を備えてもよく、これは例えば額支持部１１および／または耳覆い１２を有し、これらは例えば同様に誘導部８に設置されている。相応する固定装置２０のスキームを図３にも示す。さらに、勾配磁場生成のための装置３、または高周波の生成および受信のためのコイル４、または純受信コイル１３のような磁場ユニット１の部分を固定装置２０に設置してもよい。図３で示すように、例えば平面的な表面コイルとして構成された受信コイル１３を固定装置２０に配置してもよく、これにより受信コイルが側部で撮影される位置決めされた患者Ｐの顎部Ｋの非常に近くに位置することができる。
【００４７】
受信コイル１３の感度を高めるために咬合阻止器９の上に配置してもよく、これにより撮影の間可能な限り測定対象物、すなわち患者Ｐの顎部Ｋに近づくことができる。勾配磁場生成のための装置３の咬合阻止器９への設置も、例えばコイル状に構成された装置３がこれにより固定的に測定対象物、すなわち顎部Ｋと接続され、このため測定対象物および装置３が同様に移動し、これにより、測定対象物の勾配磁場に対する相対的移動により生じる測定の誤りまたは不確実性が避けられるため有利となり得る。図１および２に示す磁場ユニット１の永久磁石２の形は、例えば図４Ａに示すようにハルバッハ配列であってもよく、この際内側の線は磁場の流れを描く。
【００４８】
永久磁石２の矩形の形状により、患者Ｐを中央ではなく、患者Ｐの垂直軸Ｂと永久磁石２に含まれる平面の平面中心点Ｆ２との間に距離を置いて位置決めすることができる。これにより、永久磁石２を不要に大きく構成することなく永久磁石２の簡単な配置を選択することができる。さらに測定領域、すなわち患者Ｐの顎部Ｋが、永久磁石２に含まれる平面中心点の領域において、またこれにより主磁場の均質の領域Ｈにも位置できる。
【００４９】
永久磁石２の全体寸法はとりわけ、可能な限り小型の構造となるように、また同時に、基準の頭部を撮影するため、および生成された均質の領域が少なくとも顎領域へ延びるために、永久磁石に含まれる容積が十分大きくなることが確保されるように作成される。
【００５０】
他の実施形態の発展形として、１つ以上の永久磁石２を図４Ｂに示す。ここでは永久磁石１３の形は同様に矩形であるが、永久磁石１３の楕円形の最も互いに離れた２点の厚さｂ１、ｂ２が異なる（ｂ１＞ｂ２）。これにより永久磁石１３に含まれる平面において、平面中心点Ｆ１がこの含まれる平面の平面中心点Ｆ２から離れている均質の磁場が生じる。これにより患者Ｐを永久磁石１３内で中心に位置決めすることができ、こうして患者Ｐの垂直軸Ｂが永久磁石１３に含まれる平面の平面中心点Ｆ２を通って走るか、またはこれに少なくとも非常に近付き、同時に測定対象物、すなわち顎部Ｋの、永久磁石１３の磁場の均質な領域Ｈとの場所の一致が達成される。閉鎖した永久磁石２を含む、図１および２の磁場ユニット１の他の実施例を図５に示す。誘導部６と磁場ユニット１との間に水平方向に走る接合軸を有する接合部１４が備えられ、ここで接合軸は像面に対して垂直に走る。これにより磁場ユニット１、すなわちこの長軸Ａが垂直に走る患者Ｐ垂直軸Ｂに対してα度だけ、４５°まで傾斜可能である。これにより、永久磁石２の主磁場の均質の領域Ｈが測定領域、すなわち患者Ｐの顎部Ｋとより重複可能となる。
【００５１】
永久磁石２はまた、図６Ａおよび６Ｂで側面図および正面図として示すように、プレート状に構成され、くびき部１５により接続されてもよく、この際患者Ｐが２つのプレート状の永久磁石２の間に位置決めされる。この実施形態の発展形では、勾配磁場生成のための装置３および高周波の送信および／または受信のためのコイル４が、例えば平面的なコイルとして層に一体化され、永久磁石の互いに向きあう側に配置されてもよい。
【００５２】
磁場ユニット１を壁の台架５または保持部１９に確実に固定し、患者Ｐを例えば垂直方向に走る椅子により磁場ユニット１の中へ移動することもできる。
【符号の説明】
【００５３】
１  磁場ユニット
２  永久磁石
３  勾配磁場生成のための装置
４  高周波の生成および受信のためのコイル
５  台架
６  垂直な誘導部
７  つかみ部
８  垂直な誘導部
９  咬合阻止器
１０  水平な誘導部
１１  額支持部
１２  耳覆い
１３  受信コイル
１４  接合部
１５  くびき部
１６  調整コイルシステム
１７  制御ユニット
１８  ＭＲＴシステム
１９  保持部
２０  固定のための装置
２１  遮蔽装置
２２  基準の頭部
Ａ  磁場ユニット１の長軸
α  角度
Ｂ  患者Ｐの垂直軸
Ｃ  フランクフルト水平面
Ｆ１  均質の領域Ｈの平面中心点
Ｆ２  永久磁石２に含まれる平面の平面中心点
Ｈ  主磁場の均質の領域
Ｋ  患者Ｐの顎部
Ｐ  患者
【図１】
0005695641.tif 000002
【図２Ａ】
0005695641.tif 000003
【図２Ｂ】
0005695641.tif 000004
【図３Ａ】
0005695641.tif 000005
【図３Ｂ】
0005695641.tif 000006
【図４Ａ】
0005695641.tif 000007
【図４Ｂ】
0005695641.tif 000008
【図５】
0005695641.tif 000009
【図６Ａ】
0005695641.tif 000010
【図６Ｂ】
0005695641.tif 000011